(57)【要約】【課題】  フレームを成形する金型構造を簡略化し、製造コストの削減することが可能なディスク装置を提供することを目的とする。【解決手段】  フレーム７とクランパ支持部１５とを平面的に並べ、連結部２０を介して一体成形することにより、フレーム７とクランパ支持部１５とを共通した成形用金型で成形できるようにする。クランパ支持部１５を開口部７Ｃ内に配置すれば、成形用金型を小型・軽量化することが可能となり、成形用金型の駆動部に加わる負荷の低減並びに成形速度の向上により、生産性を高めることができる。さらに、フレーム７の上方を開放した状態でフレーム７にターンテーブル４とピックアップレンズ５及びその送り機構８などの構成部品を取り付けることができ、組み付け作業性も向上する。【選択図】  図３
2006155689.tif 000002
【特許請求の範囲】
【請求項１】
ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形し、該フレームと前記クランパ支持部を並設させて切断可能な連結部を介して一体形成するとともに、成形後において前記クランパ支持部をフレームから切り離してフレームの側壁部間に架設したことを特徴とするディスク装置。
【請求項２】
前記支持枠に少なくとも前記ピックアップレンズを組み込む開口部を形成するとともに、該開口部の最大開口幅を前記クランパ支持部の全長より大きく設定し、この開口部の内側に前記連結部を介して前記クランパ支持部を一体形成したことを特徴とする請求項１記載のディスク装置。
【請求項３】
前記支持枠の一側縁外側に前記連結部を介して前記クランパ支持部を一体形成したことを特徴とする請求項１記載のディスク装置。
【請求項４】
ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形するとともに、このフレームと前記クランパ支持部を並設させ、該フレームと前記クランパ支持部とをヒンジ部を介して一体形成し、成形後において前記ヒンジ部を屈曲させて該フレームの側壁部間に架設したことを特徴とするディスク装置。
【請求項５】
前記クランパ支持部の一端部が前記ヒンジ部を介して前記側壁部の取り付け位置の延長線上に位置して前記一方の側壁部の外側に連設され、そのヒンジ部を内側に折り返して前記クランパ支持部を前記フレームの側壁部間に架設した後、クランパ支持部の他端部を前記他方の側壁部に固定してなることを特徴とする請求項４記載のディスク装置。
【請求項６】
前記クランパ支持部が前記側壁部間に架設する帯板部と、この帯板部の中央部から前記フレームの後端部に延出する突片部を有するＴ字状を成し、かつ、その突片部の後端部にＬ型に折曲した折曲部を形成し、この折曲部の端部が前記ヒンジ部を介して前記フレームの後端の外側に連設され、そのヒンジ部を内側に折り返して前記クランパ支持部の帯板部を前記フレームの側壁部間に架設してなることを特徴とする請求項４記載のディスク装置。
【発明の詳細な説明】
【技術分野】
【０００１】
本発明は、ディスク状記憶媒体の記録面にレーザー光を照射してディスク状記憶媒体の記録／再生を行うディスク装置、特に、ディスク状記憶媒体を挟持するクランパを支持するためのクランパ支持部を備えるディスクドライブ装置に関する。
【背景技術】
【０００２】
近年、ディスク装置は、ユーザーの種々のニーズに対応して、ＤＶＤプレーヤやＣＤプレーヤ等に限られず、テレビジョン受像機本体にも内蔵されるなど、その使用範囲は広範囲に及んでいる。このようなディスク装置として、特許文献１には、開口部を有するディスク状記憶媒体（以下、単にディスクと称す）を搭載するディスクトレイと、ディスクトレイを移動自在に支持する樹脂製のフレームと、ディスクトレイに搭載されたディスクの開口部に嵌合するとともに、ディスクトレイからディスクを浮上させるターンテーブルと、浮上したディスクに対して、ターンテーブルが位置する側とは反対側から当接することにより、ディスクをターンテーブルにチャッキングするクランパと、このクランパを支持するクランパ支持部材を備え、このクランパ支持部材を前記フレームとは別体に制振鋼板で形成し、これをフレームの側壁部に掛け渡して固定し、そのクランパ支持部材にクランパを支持するように構成したディスク装置が提案されている。
【０００３】
【特許文献１】特開２００３−２１７２０３
【発明の開示】
【発明が解決しようとする課題】
【０００４】
前記特許文献１で示すディスク装置は、クランパを支持するクランパ支持部材を樹脂からなるフレームとは別体の制振鋼板で形成することによって、ディスクの回転に伴う騒音や振動をクランパ支持部材によって抑制することができる反面、フレームとクランパ支持部材とを別工程で製造する必要があり、製造工程が複雑化するとともに、組付け部品点数の増大に伴って組付け作業性に劣る面がある。一方、この種のディスク装置においては、ディスクを載置するトレイやターンテーブル、ピックアップレンズなどの構成部品を組み付けるフレームとクランパを支持するクランパ支持部とを樹脂により一体成形した構造のフレームを備えたものも知られている。しかし、このように、フレームとクランパ支持部とを樹脂により一体形成する場合、フレーム自体の形状が複雑化し、そのフレームを成形する金型構造も複雑となるから、やはり製造コストの上昇を招くものであった。
【０００５】
本発明は上述した問題点に鑑みてなされたものであり、金型構造を簡略化し、製造コストの削減することが可能なディスク装置を提供することを目的とする。
【課題を解決するための手段】
【０００６】
請求項１のディスク装置は、ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形し、該フレームと前記クランパ支持部を並設させて切断可能な連結部を介して一体形成するとともに、成形後において前記クランパ支持部をフレームから切り離してフレームの側壁部間に架設したことを特徴とする。
【０００７】
請求項１の構成によれば、フレームとクランパ支持部とを連結部で連結することによってフレームとクランパ支持部とを共通した成形用金型で成形することができるとともに、クランパ支持部とフレームとを並べて一体形成することによって、成形用金型の構造も簡略化される。
【０００８】
請求項２のディスク装置は、請求項１記載のディスク装置において、前記支持枠に少なくとも前記ピックアップレンズを組み込む開口部を形成するとともに、該開口部の最大開口幅を前記クランパ支持部の全長より大きく設定し、この開口部の内側に前記連結部を介して前記クランパ支持部を一体形成したことを特徴とする。
【０００９】
請求項２の構成によれば、クランパ支持部をフレームの開口部内に配置することによって、成形用金型を小型化することが可能である。
【００１０】
請求項３のディスク装置は、請求項１記載のディスク装置において、前記支持枠の一側縁外側に前記連結部を介して前記クランパ支持部を一体形成したことを特徴とする。
【００１１】
請求項３の構成によれば、フレームに形成する開口部の寸法や形状などがクランパ支持部によって制約されることなく自由に設定することが可能となり、設計の自由度が高まる。
【００１２】
請求項４のディスク装置は、ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形し、該フレームと前記クランパ支持部を並設させ、該フレームと前記クランパ支持部とをヒンジ部を介して一体形成し、成形後において前記ヒンジ部を屈曲させて該フレームの側壁部間に架設したことを特徴とする。
【００１３】
請求項４の構成によれば、ヒンジ部を屈曲させてクランパ支持部を内側に折り返すだけで、フレームにクランパ支持部を簡単に取り付けることが可能となる。
【００１４】
請求項５のディスク装置は、請求項４記載のディスク装置において、前記クランパ支持部の一端部が前記ヒンジ部を介して前記側壁部の取り付け位置の延長線上に位置して前記一方の側壁部の外側に連設され、そのヒンジ部を内側に折り返して前記クランパ支持部を前記フレームの側壁部間に架設した後、クランパ支持部の他端部を前記他方の側壁部に固定してなることを特徴とする。
【００１５】
請求項５の構成によれば、クランパ支持部が側壁部の取り付け位置の延長線上に延出するようにして一体成形されているから、ヒンジ部を屈曲させてクランパ支持部を内側に折り返すだけで、クランパ支持部を簡単に固定することができる。
【００１６】
請求項６のディスク装置は、請求項４記載のディスク装置において、前記クランパ支持部が前記側壁部間に架設する帯板部と、この帯板部の中央部から前記フレームの後端部に延出する突片部を有するＴ字状を成し、かつ、その突片部の後端部にＬ型に折曲した折曲部を形成し、この折曲部の端部が前記ヒンジ部を介して前記フレームの後端の外側に連設され、そのヒンジ部を内側に折り返して前記クランパ支持部の帯板部を前記フレームの側壁部間に架設してなることを特徴とする。
【００１７】
請求項６の構成によれば、クランパ支持部がＴ字状を成し、フレームに組付けたピックアップレンズなど帯板部によって覆われることになるから、例えば、ピックアップレンズの調整時などにおいて、帯板部がピックアップレンズの外来光遮蔽用壁として機能する。
【発明の効果】
【００１８】
本発明の請求項１のディスク装置によれば、ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形し、該フレームと前記クランパ支持部を並設させて切断可能な連結部を介して一体形成するとともに、成形後において前記クランパ支持部をフレームから切り離してフレームの側壁部間に架設したものであるから、フレームとクランパ支持部とを共通した成形用金型で成形することができるとともに、クランパ支持部とフレームとを並べて一体形成することによって、成形用金型の構造を簡略化することができるため、製造コストを削減することができる。さらに、フレームからクランパ支持部を切り離してクランパ支持部を後付けすることによって、フレームの上方を開放した状態でターンテーブルとピックアップレンズ及びその送り機構などの構成部品をフレームに組付けることができ、同様に、クランパ支持部へのクランパの組付けも容易となるから、組付け作業性を高めることができる。
【００１９】
請求項２のディスク装置によれば、請求項１記載のディスク装置において、前記支持枠に少なくとも前記ピックアップレンズを組み込む開口部を形成するとともに、該開口部の最大開口幅を前記クランパ支持部の全長より大きく設定し、この開口部の内側に前記連結部を介して前記クランパ支持部を一体形成したものであるから、クランパ支持部をフレームの開口部内に配置することによって、成形用金型を小型化することが可能であり、このような成形用金型の小型・軽量化に伴って、成形時において成形用金型の駆動部に加わる負荷の低減並びに成形速度の向上により、生産性を高めることができる。
【００２０】
請求項３のディスク装置によれば、請求項１記載のディスク装置において、前記支持枠の一側縁外側に前記連結部を介して前記クランパ支持部を一体形成したものであるから、クランパ支持部によって開口部の形状が制約されることなく自由に設定することが可能となり、設計の自由度を高めることができる。
【００２１】
請求項４のディスク装置によれば、ディスク状記憶媒体を載置するトレイと、このトレイに載置したディスク状記憶媒体を浮き上がらせて回転駆動するターンテーブルと、前記ディスク状記憶媒体の記録面にレーザー光を照射して該ディスク状記憶媒体の記録／再生を行うピックアップレンズと、これらの構成部品を組み付けるとともに、前記トレイを移動自在に案内するための水平方向に延びる支持枠と該支持枠の左右両側縁に一体形成する一対の側壁部を有する樹脂製のフレームと、前記トレイから浮上したディスク状記憶媒体を前記ターンテーブルと共に挟持するクランパと、この前記クランパを支持して前記側壁部間に設けたクランパ支持部とを備えるディスク装置であって、前記クランパ支持部を前記フレームと同一の樹脂によって成形し、該フレームと前記クランパ支持部を並設させ、該フレームと前記クランパ支持部とをヒンジ部を介して一体形成し、成形後において前記ヒンジ部を屈曲させて該フレームの側壁部間に架設したものであるから、ヒンジ部を屈曲させてクランパ支持部を内側に折り返すだけで、フレームにクランパ支持部を簡単に取り付けることが可能となり、より一層、組付け作業性を高めることができる。
【００２２】
請求項５のディスク装置によれば、請求項４記載のディスク装置において、前記クランパ支持部の一端部が前記ヒンジ部を介して前記側壁部の取り付け位置の延長線上に位置して前記一方の側壁部の外側に連設され、そのヒンジ部を内側に折り返して前記クランパ支持部を前記フレームの側壁部間に架設した後、クランパ支持部の他端部を前記他方の側壁部に固定してなるものであるから、クランパ支持部が側壁部の取り付け位置の延長線上に延出するようにして一体成形されているから、ヒンジ部を屈曲させてクランパ支持部を内側に折り返すだけで、クランパ支持部を簡単に固定することができる。
【００２３】
請求項６のディスク装置によれば、請求項４記載のディスク装置において、前記クランパ支持部が前記側壁部間に架設する帯板部と、この帯板部の中央部から前記フレームの後端部に延出する突片部を有するＴ字状を成し、かつ、その突片部の後端部にＬ型に折曲した折曲部を形成し、この折曲部の端部が前記ヒンジ部を介して前記フレームの後端の外側に連設され、そのヒンジ部を内側に折り返して前記クランパ支持部の帯板部を前記フレームの側壁部間に架設してなるものでるから、ピックアップレンズの調整時などにおいて、帯板部がピックアップレンズの外来光遮蔽用壁として機能し、調整作業時の安全性を高めることができる。
【発明を実施するための最良の形態】
【００２４】
以下、本発明の具体的実施例について、添付図面を参照しながら説明する。なお、以下の実施態様は、本発明を具体化する際の一形態であって、本発明をその範囲内に限定するためのものではない。
【実施例１】
【００２５】
図１〜図５は本発明の実施例１を示すものであり、図１はディスク装置の斜視図、図２はディスク装置の平面図、図３はクランパ支持部を一体形成したフレームの平面図、図４はクランパ支持部の組付け状態を示すフレームの平面図、図５はクランパ支持部付近の断面図であり、同図に示すように、本実施例のディスク装置１は、ディスク２を搬入／搬出するトレイ３と、ディスク２を回転駆動するターンテーブル４と、ディスク２の半径方向へ進退可能に設けたピックアップレンズ５などを主要構成部品とし、これら主要構成部品を合成樹脂製のフレーム７に組付けている。また、前記ターンテーブル４とピックアップレンズ５及びその送り機構８は金属製の支持フレーム９に固定してメカユニット１０を構成している。
【００２６】
前記フレーム７は、樹脂から成る水平方向に延びる支持枠７Ａと、この支持枠７Ａの左右両側に一体形成する側壁部７Ｂとで構成され、前記支持枠７Ａに形成する開口部７Ｃに臨ませて前記メカユニット１０を固定するとともに、側壁部７Ｂの内面に前記トレイ３を案内するレール１２を形成し、このレール１２に沿わせてトレイ３をフレーム７に対して前後方向に移動するように構成している。
【００２７】
前記ターンテーブル４は、前記フレーム７のほぼ中央部に配置されたスピンドルモータ１４の回転駆動によって回転するように構成され、このターンテーブル４の上方に位置して前記フレーム７の側壁部７Ｂの間に帯板状のクランパ支持部１５が架設されている。このクランパ支持部１５の中央部にはクランパ１６が固定されており、このクランパ１６とターンテーブル４とでディスク２を挟持して、ディスク２が回転するように構成されている。
【００２８】
前記クランパ支持部１５は前記フレーム７と同一の樹脂によって成形し、クランパ支持部１５と前記フレーム７とを一体形成するものであるが、図３に示すように、前記フレーム７の側縁に沿うようにして前記開口部７Ｃ内に配置されている。すなわち、クランパ支持部１５の全長Ｌはフレーム７の側壁部７Ｂの上端部間に架設するように、フレーム７の側壁部７Ｂの間隔に設定される一方、前記開口部７Ｃの長手方向における最大開口幅Ｗはクランパ支持部１５の全長Ｌより大きく設定されている。また、クランパ支持部１５とフレーム７とは成形時に樹脂のランナーとなる幅狭な連結部２０を介して一体的に連結することによって、これらクランパ支持部１５とフレーム７が共通した成形用金型によって一体成形することが可能となる。また、幅狭な連結部２０によってクランパ支持部１５とフレーム７とを一体成形することによって、成形後において、連結部２０を切断してフレーム７からクランパ支持部１５を切り離すことが可能であり、このようにしてフレーム７とクランパ支持部１５とを分離させることによって、それぞれクランパ支持部１５にクランパ１６を組付け、フレーム７にメカユニット１０を組付けた状態でクランパ支持部１５をフレーム７の各側壁部７Ｂの上端部に形成する段差溝２２に嵌め入れて位置決めする。こうして、フレーム７の各側壁部７Ｂ間に架設したクランパ支持部１５の両端部をねじ２１によって各側壁部７Ｂの上端部に固定している。
【００２９】
このように、フレーム７とクランパ支持部１５とを連結部２０で連結することによってフレーム７とクランパ支持部１５とを共通した成形用金型で成形することができるとともに、クランパ支持部１５はフレーム７とをほぼ平面的に並べて一体形成することによって、成形用金型の構造も簡略化することができるとともに、クランパ支持部１５を開口部７Ｃ内に配置することによって、成形用金型を小型化することが可能である。このように、成形用金型の簡略化をすることで成形用金型の製造コストを削減できるとともに、成形用金型の小型・軽量化に伴って、成形時において成形用金型の駆動部に加わる負荷の低減並びに成形速度の向上により、生産性を高めることができる。また、フレーム７からクランパ支持部１５を切り離してクランパ支持部１５を後付けすることによって、フレーム７の上方を開放した状態でターンテーブル４とピックアップレンズ５及びその送り機構８を組付けた金属製の支持フレーム９を含むメカユニット１０を簡単に取り付けることができ、同様にクランパ支持部１５へのクランパ１６の組付けも容易となるから、組付け作業の効率化を図ることができる。
【実施例２】
【００３０】
図６は本発明の実施例２を示すものであり、図６はクランパ支持部を一体形成したフレームの平面図である。なお、前記実施例１と共通する部分には同一符号を付し、重複する部分の説明を省略し、異なる部分についてのみ説明する。
【００３１】
前記実施例１では、クランパ支持部１５をフレーム７の開口部７Ｃに配置した例を示したが、本実施例においては、フレーム７の後端縁外側にクランパ支持部１５を沿わせて連結部２０を介して一体的に連結するように構成している。このように、フレーム７の後端縁外側にクランパ支持部１５を一体形成することにより、前記実施例と同様、成形用金型の構造の簡略化によって、成形用金型の製造コストを削減できるとともに、フレーム７及びクランパ支持部１５への部品の組付けを簡略化して効率的な組付け作業を行うことができる。さらに、前記実施例１では、フレーム７の開口部７Ｃにクランパ支持部１５を配置することから、少なくとも開口部７Ｃの最大開口幅Ｗをクランパ支持部１５の全長Ｌより長く設定する必要があるが、フレーム７の後端縁外側にクランパ支持部１５を一体形成することによって、クランパ支持部１５によって開口部７Ｃの形状が制約されることなく自由に設定することが可能となり、設計の自由度も高まる。
【実施例３】
【００３２】
図７〜図９は本発明の実施例３を示しており、図７はクランパ支持部を一体形成したフレームの平面図、図８はクランパ支持部を一体形成したフレームの側面図、図９はクランパ支持部の組付け状態を示すフレームの平面図である。なお、前記実施例１，２と共通する部分には同一符号を付し、重複する部分の説明を省略し、異なる部分についてのみ説明する。
【００３３】
本実施例では、クランパ支持部１５の一端がフレーム７の一方の側壁部７Ｂに肉薄状のヒンジ部２５を介して一体形成されるとともに、該クランパ支持部１５は、前記側壁部７Ｂの取り付け位置の延長線上に位置して側壁部の外側に延出するようにして一体成形されて、成形後において、前記ヒンジ部２５を屈曲させてクランパ支持部１５を内側に折り返すことによって、クランパ支持部１５が各側壁部７Ｂ，７Ｂ間に架設される。このようにして各側壁部７Ｂ，７Ｂ間に掛け渡した後、前記ヒンジ部２５の反対側に位置するクランパ支持部１５の他端側をねじ２１で固定することによって、クランパ支持部１５をフレーム７の取り付け位置に固定する。
【００３４】
以上のように本実施例では、フレーム７の一方の側壁部７Ｂに肉薄状のヒンジ部２５を介してクランパ支持部１５を一体形成することにより、前記実施例と同様、成形用金型の構造の簡略化によって、成形用金型の製造コストを削減できるとともに、フレーム７及び支持フレーム９への部品の組付けを簡略化して組付け作業性を高めることができる。さらに、本実施例においては、クランパ支持部１５が側壁部７Ｂの取り付け位置の延長線上に延出するようにして一体成形されているから、ヒンジ部２５を屈曲させてクランパ支持部１５を内側に折り返すだけで、クランパ支持部１５を簡単に固定することができるとともに、クランパ支持部１５に組付けたクランパ１６と、フレーム７に組付けたターンテーブル４との位置を簡単に位置合わせすることができる。これにより、一層、効率的な組付け作業が可能となり、生産性を高めることができる。
【実施例４】
【００３５】
図１０〜図１２は本発明の実施例４を示し、図１０はクランパ支持部を一体形成したフレームの平面図、図１１はクランパ支持部を一体形成したフレームの側面図、図１２はディスク装置の平面図である。なお、前記実施例１〜３と共通する部分には同一符号を付し、重複する部分の説明を省略し、異なる部分についてのみ説明する。
【００３６】
本実施例においては、前記実施例３と同様、クランパ支持部１５がヒンジ部２５を介してフレーム７に一体成形されているが、前記実施例３とはクランパ支持部１５の形状及びヒンジ部２５の位置が異なる。すなわち、本実施例においては、クランパ支持部１５は、フレーム７の側壁部７Ｂ，７Ｂ間に架設する帯板部３０と、この帯板部３０の中央部から前記フレーム７の後端部に延出する突片部３１を有するＴ字状を成し、その突片部３１の後端部にＬ型に折曲した折曲部３２を形成し、この折曲部３２の端部が前記ヒンジ部２５を介して前記フレーム７の後端の外側に連設されている。そのヒンジ部２５を内側に折り返すことによって、前記クランパ支持部１５の帯板部３０が側壁部７Ｂ，７Ｂ間に架設される。これにより、前記実施例３と同様、ヒンジ部２５を屈曲させてクランパ支持部１５を内側に折り返すだけで、クランパ支持部１５に組付けたクランパ１６と、フレーム７に組付けたターンテーブル４とを位置合わせした状態で固定することができる。また、本実施例においては、クランパ支持部１５がＴ字状を成し、フレーム７に組付けたピックアップレンズ５及びその送り機構８から成るメカユニット１０が突片部３１によって覆われることになるから、例えば、ピックアップレンズ５の調整時などにおいて、突片部３１がピックアップレンズ５の外来光遮蔽用壁として機能するため、調整作業を安全かつ効率的に行うことができる。
【００３７】
以上、本発明の一実施例を詳述したが、本発明は前記実施例に限定されるものでなく、本発明の要旨の範囲内で種々の変形実施が可能である。例えば、前記実施例では、クランパ支持部１５をねじ２１で固定した例を示したが、フックなど係合手段によってフレーム７にクランパ支持部１５を固定するようにしてもよく、クランパ支持部１５の形状や取付構造などは適宜選定すればよい。
【図面の簡単な説明】
【００３８】
【図１】本発明の実施例１を示すディスク装置の斜視図である。
【図２】同上、ディスク装置の平面図である。
【図３】同上、クランパ支持部を一体形成したフレームの平面図である。
【図４】同上、クランパ支持部の組付け状態を示すフレームの平面図である。
【図５】同上、クランパ支持部付近の断面図である。
【図６】本発明の実施例２を示すクランパ支持部を一体形成したフレームの平面図である。
【図７】本発明の実施例３を示すクランパ支持部を一体形成したフレームの平面図である。
【図８】同上、クランパ支持部を一体形成したフレームの側面図である。
【図９】同上、クランパ支持部の組付け状態を示すディスク装置の平面図である。
【図１０】本発明の実施例４を示すクランパ支持部を一体形成したフレームの平面図である。
【図１１】同上、クランパ支持部を一体形成したフレームの側面図である。
【図１２】同上、ディスク装置の平面図である。
【符号の説明】
【００３９】
１    ディスク装置
２    ディスク状記憶媒体
３    トレイ
４    ターンテーブル
５    ピックアップレンズ
７Ｂ  側壁部
７Ｃ  開口部
１５  クランパ支持部
１６  クランパ
２１  連結部
２５  ヒンジ部
３０  帯板部
３１  突片部
３２  折曲部
【図１】
2006155689.tif 000003
【図２】
2006155689.tif 000004
【図３】
2006155689.tif 000005
【図４】
2006155689.tif 000006
【図５】
2006155689.tif 000007
【図６】
2006155689.tif 000008
【図７】
2006155689.tif 000009
【図８】
2006155689.tif 000010
【図９】
2006155689.tif 000011
【図１０】
2006155689.tif 000012
【図１１】
2006155689.tif 000013
【図１２】
2006155689.tif 000014